(57)【要約】【課題】例えば米を詰めるのに使用する場合、０．２ｋｇ〜１０ｋｇの重量に耐えうると共に、手に優しく且つ低コストであり、更に、柔軟な手提げ構造を有し、米の充填を妨げるおそれはなく作業性に優れた手提げ付食料品用包装袋を提供すること。【解決手段】合成樹脂製の食料品用包装袋本体２の一端に合成樹脂テープ３よりなる手提げ部を取り付けてある手提げ付食料品用包装袋１であって、前記手提げ部３の端部を、前記食料品用包装袋本体２の対向する内面同士で挟み込んで熱接着してある。【選択図】            図５
2005029193.tif 000002
【特許請求の範囲】
【請求項１】
合成樹脂製の食料品用包装袋本体の一端に合成樹脂テープよりなる手提げ部を取り付けてある手提げ付食料品用包装袋であって、前記手提げ部の端部を、前記食料品用包装袋本体の対向する内面同士で挟み込んで熱接着してあることを特徴とする手提げ付食料品用包装袋。
【請求項２】
前記合成樹脂テープは、内部に強靱なポリエステル、外部に柔らかい高密度のポリエチレンの二成分構成の合成樹脂でできた不織布で構成されている請求項１に記載の手提げ付食料品用包装袋。
【請求項３】
米袋として用いられる請求項１または請求項２に記載の手提げ付食料品用包装袋。
【発明の詳細な説明】
【０００１】
【発明の属する技術分野】
この発明は、米袋などに用いられる手提げ付食料品用包装袋に関するものである。
【０００２】
【従来の技術】
従来の手提げ付食料品用包装袋として以下のものがある。
【０００３】
（１）合成樹脂フィルム製の袋の上部を裏表同時に小判形に打ち抜き加工して手提げ用袋としたもの。
（２）樹脂で射出成型した手提げ部分を食料品用包装袋に熱接着して手提げ用袋としたもの。
（３）食料品用包装袋の外面に台紙を用いて樹脂テープをのり付けして手提げ部を形成したもの。
（４）袋の口部に紐を通した巾着袋タイプのもの。
【０００４】
【発明が解決しようとする課題】
しかし、前記（１）のものは、手提げ部が内容物の入いる袋部と一体の合成樹脂フィルムであるので、手提げ部を打ち抜き加工で抜いた場合、この加工部は内容物の重量で裂けて切れる危険性があり、また、裂けない場合でも手提げ部が手に食い込んで耐えられない痛みを受けるおそれがある。
【０００５】
前記（２）のものは、別工程で手提げ部分を射出成型で作り出すため、この射出成型の型代が嵩みコスト高になる。更に、手提げ部分の成型した樹脂は柔軟性がないため障害物となり、例えば米を詰めるにあたって詰め難く、時間を要する問題がある。
【０００６】
前記（３）のものは、のり付けしてあるので、せいぜい３ｋｇが限度の耐久力で、経時変化により接着力は低下し、剥がれるおそれがある。
【０００７】
前記（４）のものは、充填口が巾着締めのままであるので、充填口から米が散乱するおそれがある。
【０００８】
この発明は上述の事柄に留意してなされたもので、その目的は、例えば米を詰めるのに使用する場合、０．２ｋｇ〜１０ｋｇの重量に耐えうると共に、手に優しく且つ低コストであり、更に、柔軟な手提げ構造を有し、米の充填を妨げるおそれはなく作業性に優れた手提げ付食料品用包装袋を提供することである。
【０００９】
【課題を解決するための手段】
上記目的を達成するために、この発明の手提げ付食料品用包装袋は、合成樹脂製の食料品用包装袋本体の一端に合成樹脂テープよりなる手提げ部を取り付けてある手提げ付食料品用包装袋であって、前記手提げ部の端部を、前記食料品用包装袋本体の対向する内面同士で挟み込んで熱接着してあることを特徴とする（請求項１）。
【００１０】
この発明における合成樹脂テープとしては、１０３０ｍｍ程度の広巾の不織布をスリットしてテープ状にしたものを挙げることができる。前記不織布の巾は、１０ｍｍ〜５０ｍｍが好ましい。
また、前記不織布は、重量的には、１００ｇ／ｍ２  、７０ｇ／ｍ２  、５０ｇ／ｍ２  、３０ｇ／ｍ２  、２０ｇ／ｍ２  のものなどがあるが、この発明では、１００ｇ／ｍ２  〜５０ｇ／ｍ２  のものを用いるのが好ましい。これは、５０ｇ／ｍ２  未満の不織布を用いると、内容量１０ｋｇ〜１ｋｇの重量物では手提げ用テープが薄くできているために引張られて延び、手に痛みを感じ、切れるおそれがあるからである。
【００１１】
更に、前記合成樹脂テープは、例えば米を詰めた食料品用包装袋本体を持ち運ぶときの手提げ部として機能する。前記合成樹脂テープは、内部に強靱なポリエステル、外部に柔らかい高密度のポリエチレンの二成分構成の合成樹脂でできた不織布で構成される（請求項２）。すなわち、前記不織布は、ポリエステルにポリエチレンを組込加工してなる糸状のものを型押し成形し、これをスリットして構成してある。そのため、前記不織布は、他素材との複合化に適したフィルムであり、且つヒートシールが容易であると共に、柔らかい高密度のポリエチレンを外部素材としているので、引っ張ると延びて手に食い込むことを和らげる効果がある。
【００１２】
この発明における食料品用包装袋本体は、ポリエチレンを基本素材とした合成樹脂製であり、例えばポリエチレンが内側にナイロンが外側に位置するよう両者を貼り合わせた合成樹脂でできたフィルムを挙げることができる（合成樹脂フィルムの貼り合わせ）。
また、前記食料品用包装袋本体の別の構成として、例えばクラフト紙、和紙、ポリエステル、ポリエチレンの各フィルムが外側に、内側には各々のフィルムにポリエチレンフィルムが位置するよう貼り合わせた合成樹脂フィルムよりなっている。
【００１３】
この発明では、前記合成樹脂テープよりなる手提げ部を、前記食料品用包装袋本体の対向する内面同士で挟み込んで熱接着してある（図４、図９参照）。
【００１４】
また、前記食料品用包装袋本体は、平面視四辺形が好ましく、前記食料品用包装袋本体を平面視四辺形とした場合、前記合成樹脂テープは前記食料品用包装袋本体の一辺の中央にバランスよく取り付けられる。
更に、前記合成樹脂テープは、図２、図３に示すように、一本でも、図７、図８に示すように、二本でもよい。
【００１５】
さらに、この発明の手提げ付食料品用包装袋は、米袋として用いられる（請求項３）。すなわち、この発明は、米を詰める袋に直接手提げ部を取り付けてなるものである。
よって、この発明では、例えば米袋等の食料品用包装袋本体に直接合成樹脂テープを取り付けて米を前記食料品用包装袋本体に充填し、この充填口をシールして市販できる。
【００１６】
【発明の実施の形態】
以下、この発明の実施の形態について説明する。なお、それによってこの発明は限定されるものではない。
図１〜図５は、食料品用包装袋本体の短辺の中央に合成樹脂テープをバランスよく取り付けてあるこの発明の第１の実施形態を示す。
図１は、米が充填される前の手提げ付食料品用包装袋を示し、図２は、アーチ型形状の合成樹脂テープを、図３は、アーチ型形状の合成樹脂テープの左右を折り畳んで門型形状としてある合成樹脂テープを示す。図４は、合成樹脂テープが食料品用包装袋本体の対向する内面同士で挟み込んで熱接着されている状態を示し、図５は、手提げ付食料品用包装袋の製作工程を示す。
図１において、１は、手提げ付食料品用包装袋で、合成樹脂製の食料品用包装袋本体２の一端に所定長さの一本の合成樹脂テープ３よりなる手提げ部を取り付けてある。すなわち、前記手提げ付食料品用包装袋１は、前記食料品用包装袋本体２と一本の合成樹脂テープ３より構成されており、前記合成樹脂テープ３よりなる手提げ部の両端部Ｍ，Ｍを、前記食料品用包装袋本体２の表部４ａと裏部４ｂの対向する内面同士で挟み込んで熱接着してある（図４参照）。前記手提げ付食料品用包装袋１は、例えば、米袋として用いられる。前記食料品用包装袋本体２は平面視例えば長方形であり、図５における正面向かって左側に示すように、前記表部４ａと裏部４ｂは、平面視長方形の一対の合成樹脂フィルムをヒートシール（熱接着）により貼り合わせることにより得られる。
【００１７】
米が充填される前の手提げ付食料品用包装袋１は、袋状で、合成樹脂テープ３よりなる手提げ部を短辺の一辺の中央に有し、短辺の対向辺に米充填口５を有する。この両端部Ｍ，Ｍを表部４ａと裏部４ｂの対向する内面同士で挟み込んで熱接着することにより前記合成樹脂テープ３は、短辺Ａの中央にバランスよく取り付けられている。
【００１８】
前記合成樹脂テープ３は、上述したように、米を詰めた食料品用包装袋本体２を持ち運ぶときの手提げ部として機能するもので、内部に強靱なポリエステル、外部に柔らかい高密度のポリエチレンの二成分構成の合成樹脂でできた不織布で構成されており、１０３０ｍｍ程度の広巾の不織布をスリットして１０ｍｍ〜５０ｍｍ巾のテープ状にしてある。前記合成樹脂テープ３は、門型形状またはアーチ型形状にして食料品用包装袋本体２の短辺Ａの中央にバランスよく取り付けられている。
【００１９】
なお、図５における正面向かって右側に食料品用包装袋本体２の別の製作工程が示されている。この場合、前記食料品用包装袋本体２は、例えば、縦断面ほぼ円筒形状のポリエチレンチューブ１３から作成されている。詳しくは、前記ポリエチレンチューブ１３はその製作加工上、一度ロール状に巻き取られる。１４は、そのロール体を示す。このロール体１４から巻き出された巻き出し部分１４ａを所定長さに切断して前記ポリエチレンチューブ１３を得る。このポリエチレンチューブ１３は、円筒形状を平面化した形状となっている。そして、前記ポリエチレンチューブ１３の一端部に充填口５を残す形で前記ポリエチレンチューブ１３の他端部の開口６に挿入された合成樹脂テープ３の両端部Ｍ，Ｍを、前記食料品用包装袋本体２の対向する内面同士で挟み込んで熱接着することにより、食料品用包装袋本体２の他端部における短辺Ａの中央に合成樹脂テープ３はバランスよく取り付けられる。このとき、ポリエチレンチューブ１３の複数箇所に穿孔作業を行って、複数の微細孔を集中的に形成してなる通気孔部（図示せず）を設け、優れた通気性を有し、防塵、防虫および防水効果の高い手提げ付食料品用包装袋１を得るのが好ましい（特願２００２−３６２１５６号明細書・図面参照）。続いて、充填口５を介して、手提げ付食料品用包装袋１の内部に米を充填した後、充填口５をヒートシールにより接着することで、食料品用包装袋本体２の短辺Ａの中央に合成樹脂テープ３をバランスよく取り付けて、米を収容した状態の手提げ付食料品用包装袋１を得ることができる。
【００２０】
このように、手提げ部として機能する合成樹脂テープ３が柔らかい不織布よりなっているので、特に前記食料品用包装袋本体２が１０ｋｇから１ｋｇ程度の米を収容した重量物である場合に、前記食料品用包装袋本体２の取り扱い、ならびに、持ち運びに大変便利であるとともに、これを持ったときに受ける手の痛みを和らげることができる。
また、前記食料品用包装袋本体２に直接手提げ用の合成樹脂テープ３を設けているので、持ち運びに際し、別のスーパー用手提げ簡易袋（レジ袋）は不要となり、ゴミの減量化が達成できる。また、合成樹脂テープ３は柔軟性があるので、米を充填する際に詰め易くなり、詰め作業に要する時間は短縮される。
【００２１】
図６は、平面視例えば長方形の食料品用包装袋本体２の長辺Ｂの中央に合成樹脂テープ３をバランスよく取り付けてあるこの発明の第２の実施形態を示す。なお、図６において、図１〜図５に示したものと同一のものは同一または相当物である。
【００２２】
この場合も、上記第１の実施形態と同様、合成樹脂テープ３よりなる手提げ部の両端部Ｍ，Ｍを、食料品用包装袋本体２の対向する内面同士で挟み込み、食料品用包装袋本体２に直接ヒートシールにより合成樹脂テープ３を長辺Ｂに取り付けているので、食料品用包装袋本体２を０．２ｋｇ〜１０ｋｇ入りの手提げ付き米袋にでき、上記第１の実施形態と同様の効果を得るものである。
【００２３】
図７〜図９は、二本の合成樹脂テープ３，３の両端部Ｍ，Ｍを、食料品用包装袋本体２の対向する内面同士で挟み込み、食料品用包装袋本体２に直接ヒートシールにより二本の合成樹脂テープ３，３を食料品用包装袋本体２の一辺の中央にバランスよく取り付けるようにしたこの発明の第３の実施形態を示す。なお、図７〜図９において、図１〜図６に示したものと同一のものは同一または相当物である。
【００２４】
図７は、アーチ型形状の二本の合成樹脂テープ３，３を示し、図８は、アーチ型形状の二本の合成樹脂テープ３，３のそれぞれの左右を折り畳んで門型形状としてある二本の合成樹脂テープ３，３を示す。この場合、上記第１，２の各実施形態と同様、合成樹脂テープ３よりなる手提げ部のそれぞれの両端部Ｍ，Ｍを重ね合わせた状態で、食料品用包装袋本体２の表部４ａと裏部４ｂの対向する内面同士で挟み込み、食料品用包装袋本体２に直接ヒートシールにより合成樹脂テープ３を一辺の中央にバランスよく取り付けているので、食料品用包装袋本体２を０．２ｋｇ〜１０ｋｇ入りの手提げ付き米袋にでき、上記第１，２の各実施形態と同様の効果を得るものである。
【００２５】
【発明の効果】
上述したようにこの発明では、例えば米を詰めるのに使用する場合、０．２ｋｇ〜１０ｋｇの重量に耐えうると共に、手に優しく且つ低コストであり、更に、柔軟な手提げ構成を有し、米の充填を妨げるおそれはなく作業性に優れた手提げ付食料品用包装袋を提供することができる。
【図面の簡単な説明】
【図１】この発明の第１の実施形態を示し、米が充填される前の手提げ付食料品用包装袋を示す斜視図である。
【図２】上記実施形態における合成樹脂テープをアーチ型形状で取り付けた図である。
【図３】上記実施形態における合成樹脂テープを門型形状で取り付けた図である。
【図４】上記実施形態における合成樹脂テープのヒートシール（熱接着）状態を示す側面図である。
【図５】上記実施形態における製作工程を説明するための図である。
【図６】この発明の第２の実施形態を示し、米が充填される前の手提げ付食料品用包装袋を示す斜視図である。
【図７】この発明の第３の実施形態における合成樹脂テープをアーチ型形状で取り付けた図である。
【図８】上記第３の実施形態における合成樹脂テープを門型形状で取り付けた図である。
【図９】上記第３の実施形態における合成樹脂テープのヒートシール（熱接着）状態を示す側面図である。
【符号の説明】
１…手提げ付食料品用包装袋、２…食料品用包装袋本体、３…合成樹脂テープ。
【図１】
2005029193.tif 000003
【図２】
2005029193.tif 000004
【図３】
2005029193.tif 000005
【図４】
2005029193.tif 000006
【図５】
2005029193.tif 000007
【図６】
2005029193.tif 000008
【図７】
2005029193.tif 000009
【図８】
2005029193.tif 000010
【図９】
2005029193.tif 000011